(57)【要約】  カラギーナン、寒天、アルギン酸ナトリウム、及びジェランガムからなる群より選ばれる少なくとも１種を含む親水性高分子ゲル化剤水溶液と、油分及び水と相溶可能な両親媒性物質とを混合して混合物を作製し、この混合物にカチオンを添加し、両親媒性物質を除去することにより、カプセルを製造する。
2017090214.tif 000002
【特許請求の範囲】
【請求項１】
カラギーナン、寒天、アルギン酸ナトリウム、及びジェランガムからなる群より選ばれる少なくとも１種を含むアニオン性の親水性高分子ゲル化剤水溶液と、油分及び水と相溶可能な両親媒性物質とを混合して混合物を作製する工程と、
前記混合物にカチオンを添加する工程と
前記両親媒性物質を除去する工程と
を少なくとも備えることを特徴とするカプセルの製造方法。
【請求項２】
前記両親媒性物質が、コハク酸ビスエトキシジグリコール、シクロヘキサン−１，４−ジカルボン酸ビスエトキシジグリコール、コハク酸ジエトキシエチル、１，２−ヘキサンジオール、及びヘキシレングリコールからなる群から選ばれる少なくとも１種であることを特徴とする請求項１に記載のカプセルの製造方法。
【請求項３】
前記カチオンが、カルシウムイオン、マグネシウムイオン及び第４級アンモニウムカチオンからなる群から選ばれる少なくとも１種であることを特徴とする請求項１または請求項２に記載のカプセルの製造方法。
【請求項４】
前記混合物作製工程において、前記親水性高分子ゲル化剤水溶液に対して前記両親媒性物質を添加することを特徴とする請求項１〜請求項３のいずれか１項に記載のカプセルの製造方法。
【請求項５】
前記混合物作製工程において、前記両親媒性物質に対して前記親水性高分子ゲル化剤水溶液を添加することを特徴とする請求項１〜請求項３のいずれか１項に記載のカプセルの製造方法。
【発明の詳細な説明】
【技術分野】
【０００１】
本発明は、カプセルの製造方法に関する。
【背景技術】
【０００２】
従来、カプセルは、化粧品、医薬品、食品等の分野において、幅広く利用されており、例えば、所定の機能を有する機能性物質をカプセル内に内包することにより、当該機能性物質の安定性等を向上することができる。【０００３】
このカプセルの製造方法としては、例えば、内包油滴（油相）と、カプセル化剤を含有する水相により、Ｏ／Ｗエマルジョンを調製した後、外油相中に、調製したＯ／Ｗエマルジョンを分散乳化することにより、Ｏ／Ｗ／Ｏエマルジョンを調製し、その後、水相を固化させてカプセル化する方法が提案されている。【０００４】
より具体的には、例えば、内油相と、親水性高分子ゲル化剤である寒天又はカラギーナンを予め加熱溶解しておいた水相とから、ゲル化剤の固化温度以上でＯ／Ｗエマルジョンを調製するＯ／Ｗエマルジョン調製工程と、Ｏ／Ｗエマルジョンをゲル化剤の固化温度以上で外油相中に分散乳化するＯ／Ｗ／Ｏエマルジョン調製工程と、Ｏ／Ｗ／Ｏエマルジョンをゲル化剤の固化温度以下に冷却して水相を固化するカプセル化工程とを備えたマイクロカプセルの製造方法が開示されている。そして、このような方法により、微細な内包油滴を有し、安定性、及び塗布後の内包油滴の保持性に優れるマイクロカプセルを得ることができると記載されている（例えば、特許文献１参照）。【０００５】
また、コエンザイムＱ１０含有乳化液を、円筒状凝固室の塔頂部より、二流体ノズルを用いて噴霧するとともに、塩化カルシウム水溶液を二流体ノズルにて空気と混合しながら噴霧した後、コエンザイムＱ１０含有乳化物をゲル化させて粒子状態にして、水懸濁液として回収し、回収した懸濁液を定法により脱水、乾燥して、カプセルを製造する方法が開示されている（例えば、特許文献２参照）。
【先行技術文献】
【特許文献】
【０００６】
【特許文献１】特許第４６３７９９３号公報
【特許文献２】国際公開第２００７／１２５９１５号公報
【発明の概要】
【発明が解決しようとする課題】
【０００７】
しかし、上記特許文献１に記載の製造方法においては、Ｏ／Ｗエマルジョンを外油相中に分散乳化してＯ／Ｗ／Ｏエマルジョンを調製するため、カプセルを使用する場合に、カプセル表面に外油相が残存し、この外油相を完全に除去するには、多大な労力とコストが必要になるため、例えば、化粧水等の水系の製品に使用することができないという問題があった。【０００８】
また、カプセルの粒径を制御することが困難であり、特に、粒径が０．２ｍｍ以上であって均一な粒径を有するカプセルの製造が困難であった。【０００９】
また、上記特許文献２に記載の製造方法においては、上述のごとく、二流体ノズル等の特殊な装置が必要になるため、製造工程が複雑になるとともにコストアップになるという問題があった。【００１０】
そこで、本発明は、上述の問題に鑑みてなされたものであり、化粧水等の水系の製品に使用することができるカプセルを、安価かつ簡易な方法により製造することができるカプセルの製造方法を提供することを目的とする。
【課題を解決するための手段】
【００１１】
上記目的を達成するために、本発明のカプセルの製造方法は、カラギーナン、寒天、アルギン酸ナトリウム、及びジェランガムからなる群より選ばれる少なくとも１種を含むアニオン性の親水性高分子ゲル化剤水溶液と、油分及び水と相溶可能な両親媒性物質とを混合して混合物を作製する工程と、混合物にカチオンを添加する工程と、両親媒性物質を除去する工程を少なくとも備えることを特徴とする。
【発明の効果】
【００１２】
本発明によれば、安価かつ簡易な方法により、化粧水等の水系の製品に使用することができるカプセルを提供することができる。また、粒径が０．２ｍｍ以上であって、均一な粒径を有するカプセルを提供することができる。
【図面の簡単な説明】
【００１３】
【図１】本発明の実施形態に係るカプセルの断面図である。
【発明を実施するための形態】
【００１４】
以下に、本発明の好適な実施形態について説明する。
【００１５】
図１は、本発明のカプセルを示す概念図である。図１に示すように、本発明のカプセル１は、アニオン性の親水性高分子ゲル化剤２と、親水性高分子ゲル化剤２中に分散された内包油滴３とにより構成されている。
【００１６】
＜親水性高分子ゲル化剤＞
本発明においては、親水性高分子ゲル化剤２として、カラギーナンが好適に使用できる。カラギーナンは、紅藻類から抽出される多糖類であり、親水性高分子ゲル化剤２として使用される。このカラギーナンとしては、例えば、カウンターイオンであるカルシウムイオンと反応することによりゲル化するイオタカラギーナンが使用される。
【００１７】
なお、カラギーナンとして、カッパカラギーナン、またはラムダカラギーナンを使用してもよい。
【００１８】
また、親水性高分子ゲル化剤２として、上記カラギーナンの代わりに、寒天、アルギン酸ナトリウム、ジェランガム等を使用してもよい。なお、これらは単独でまたは２種以上を組み合わせて使用できる。
【００１９】
また、親水性高分子ゲル化剤水溶液全体に対する親水性高分子ゲル化剤２の濃度は、０．２〜５質量％が好ましく、０．５〜４質量％がより好ましい。
【００２０】
＜内包油滴＞
内包油滴３は、特に限定されず、一般的に化粧料等に使用されるものを、本発明の効果を損なわない範囲内で配合することができる。なお、本発明においては、この内包油滴は、省略することができる。
【００２１】
この内包油滴としては、例えば、動物油、植物油、合成油等の起源、及び、固形油、半固形油、液体油等の性状を問わず、炭化水素類、油脂類、ロウ類、硬化油類、エステル油類、脂肪酸類、高級アルコール類、シリコーン油類、フッ素系油類、油性ゲル化剤類等が使用できる。
【００２２】
より具体的には、エチレン・プロピレンコポリマー、ポリエチレンワックス、セレシン、パラフィンワックス、マイクロクリスタリンワックス、水添マイクロクリスタリンワックス、流動パラフィン、スクワラン、ワセリン、ポリブテン等の炭化水素類、オリーブ油、ヒマシ油、ホホバ油、マカデミアンナッツ油等の油脂類、ミツロウ、カルナウバワックス、キャンデリラワックス、モクロウ等のロウ類、トリエチルヘキサノイン、ミリスチン酸イソプロピル、パルミチン酸イソプロピル、ミリスチン酸オクチルドデシル、トリオクタン酸グリセリル、セスキイソステアリン酸ソルビタン、イソステアリン酸オクチルドデシル、ジイソステアリン酸ポリグリセリル、トリイソステアリン酸ジグリセリル、トリベヘン酸グリセリル、ジオクタン酸ネオペンチルグリコール、コレステロール脂肪酸エステル、Ｎ−ラウロイル−Ｌ−グルタミン酸ジ（コレステリル・ベヘニル・オクチルドデシル）等のエステル類、オレイン酸、パルミチン酸、ミリスチン酸、ステアリン酸、イソステアリン酸等の脂肪酸類、ステアリルアルコール、セチルアルコール、ラウリルアルコール、オレイルアルコール、イソステアリルアルコール、ベヘニルアルコール等の高級アルコール類、低重合度ジメチルポリシロキサン、高重合度ジメチルポリシロキサン、メチルフェニルポリシロキサン、ポリエーテル変性ポリシロキサン、ポリオキシアルキレン・アルキルメチルポリシロキサン・メチルポリシロキサン共重合体、架橋型オルガノポリシロキサン、フッ素変性ポリシロキサン等のシリコーン類、パーフルオロデカン、パーフルオロオクタン、パーフルオロポリエーテル等のフッ素系油類、デキストリン脂肪酸エステル、蔗糖脂肪酸エステル、デンプン脂肪酸エステル、イソステアリン酸アルミニウム、ステアリン酸カルシウム等の油性ゲル化剤類等が挙げられる。なお、これらは単独でまたは２種以上を組み合わせて使用できる。
【００２３】
次に、本発明の実施形態に係るカプセルの製造方法について説明する。
【００２４】
（内包油脂を使用しない場合）
＜親水性高分子ゲル化剤水溶液作製工程＞
まず、カラギーナンや寒天等の親水性高分子ゲル化剤２を、イオン交換水に添加し、このイオン交換水を所定の温度（例えば、９０℃）で加熱して、親水性高分子ゲル化剤２を溶解することにより、親水性高分子ゲル化剤２が溶解した水溶液を調製する。
【００２５】
なお、本工程においては、親水性高分子ゲル化剤２の他に、一般的に使用される成分（１，３―ブチレングリコールやグリセリン等の保湿剤、メチルパラベン等の防腐剤、ホワイトパール粉末やゴールドパール粉末等の着色剤、ポリ−γ−グルタミン酸Ｎａやヒドロキシエチルセルロース等の粒の助構成成分等）を、本発明の効果を損なわない範囲内で配合することができる。
【００２６】
＜両親媒性物質混合工程＞
次に、上述の親水性高分子ゲル化剤水溶液に、両親媒性物質を添加し、例えば、プロペラ攪拌機により攪拌して混合することにより、親水性高分子ゲル化剤水溶液と両親媒性物質の混合物を得る。
【００２７】
この際、この混合物において、両親媒性物質中に親水性高分子ゲル化剤２が粒状（カプセル）の状態で分散する。
【００２８】
（内包油脂を使用する場合）
まず、上述の親水性高分子ゲル化剤水溶液作製工程により、親水性高分子ゲル化剤２が溶解した水溶液を調製する。
【００２９】
＜内包油滴作製工程＞
次に、内包油脂を作製する。例えば、保湿剤である１，３−ブチレングリコールに親水性界面活性剤であるＰＥＧ−６０水添ヒマシ油を添加し、所定の温度（例えば、５０℃）に加熱し溶解する。次に、イオン交換水を添加して、撹拌溶解後、所定の温度（例えば、３０℃）まで冷却して水相を得る。そして、この水相へ油（例えば、トリエチルヘキサノイン、ジメチルポリシロキサン）を添加し、ホモミキサー（乳化機）を使用して処理を行い、乳化液相である内包油滴３を得る。
【００３０】
また、例えば、１，３−ブチレングリコールにＰＥＧ−６０水添ヒマシ油を添加し、所定の温度（例えば、５０℃）に加熱し溶解する。次に、保湿剤であるグリセリン、及び親水性界面活性剤であるセスキイソステアリン酸ソルビタン、及び油（例えば、トリエチルヘキサノイン）を添加し、撹拌して溶解する。そして、この混合相を、イオン交換水中に撹拌しながら添加することにより、乳化液相である内包油滴３を得る。
【００３１】
＜Ｏ／Ｗエマルジョン作製工程＞
次に、作製した内包油相を親水性高分子ゲル化剤水溶液に添加し、攪拌して混合することにより、Ｏ／Ｗエマルジョンを得る。
【００３２】
＜両親媒性物質混合工程＞
次に、上述のＯ／Ｗエマルジョンに、両親媒性物質を添加し、例えば、プロペラ攪拌機により攪拌して混合することにより、Ｏ／Ｗエマルジョンと両親媒性物質の混合物を得る。
【００３３】
この際、この混合物において、両親媒性物質中に親水性高分子ゲル化剤２が粒状（カプセル）の状態で分散する。
【００３４】
なお、本発明においては、両親媒性物質に、Ｏ／Ｗエマルジョンまたは親水性高分子ゲル化剤水溶液を添加し、攪拌して混合する構成としてもよい。
【００３５】
ここで、両親媒性物質とは、「油分及び水と相溶可能な物質」を意味し、例えば、コハク酸ビスエトキシジグリコール、シクロヘキサン−１，４−ジカルボン酸ビスエトキシジグリコール、コハク酸ジエトキシエチル、１，２−ヘキサンジオール、ヘキシレングリコール、ＰＥＧ／ＰＰＧ／ポリブチレングリコール−８／５／３グリセリン、及びＰＰＧ−９ジグルセリル等が挙げられる。また、両親媒性物質として、ポリオキシエチレン（１７）ポリオキシプロピレン（４）ジメチルエーテルや、ポリオキシエチレン（１４）ポリオキシプロピレン（７）ジメチルエーテル等のポリエチレングリコール・ポリプロピレングリコール共重合体のジメチルエーテルを使用することができる。なお、これらは単独でまたは２種以上を組み合わせて使用できる。
【００３６】
また、略球形状や略楕円形状のカプセル１を製造する場合は、コハク酸ビスエトキシジグリコール、シクロヘキサン−１，４−ジカルボン酸ビスエトキシジグリコールを使用することが好ましい。また、繊維形状を有するカプセル１を製造する場合は、分散溶媒であるコハク酸ジエトキシエチル、１，２−ヘキサンジオール、ヘキシレングリコールを使用することが好ましい。
【００３７】
このように、本発明においては、使用する両親媒性物質を変更することにより、カプセル１の形状を制御することが可能になる。
【００３８】
また、本発明においては、親水性高分子ゲル化剤を両親媒性物質に分散させるため、粒径が０．２ｍｍ以上であって、均一な粒径を有するカプセルの製造が可能になる。
【００３９】
なお、添加された両親媒性物質は、ろ過処理により、再利用することが可能であるため、コストダウンを図ることが可能になる。
【００４０】
＜カチオン添加工程＞
次に、上記両親媒性物質混合工程において得られたＯ／Ｗエマルジョンと両親媒性物質との混合物（または、親水性高分子ゲル化剤水溶液と両親媒性物質との混合物）を所定の温度（例えば、４５℃）まで冷却した後、この混合物に、カチオン（無機カチオン、有機カチオン）を添加する。そうすると、アニオン性高分子の親水性高分子ゲル化剤２とカチオンとが反応し、親水性高分子ゲル化剤２とカチオンとの反応物（以下、「カチオン反応物」）が形成され、図１に示すカプセルを得ることができる。
【００４１】
ここで、カチオンとしては、親水性高分子ゲル化剤のアニオン部分と電気的に中性となる無機カチオンまたは有機カチオンであればよい。より具体的には、無機カチオンとしては、例えば、塩化カルシウム二水和物や硫酸マグネシウムをイオン交換水に溶解することにより生成するカルシウムイオンやマグネシウムイオンを使用することができる。
【００４２】
また、有機カチオンとしては、例えば、塩化ベンザルコニウム、セトリモニウムクロリドをイオン交換水に溶解することにより生成する第４級アンモニウムカチオンを使用することができる。
【００４３】
そして、このように、カチオンを添加することにより、アニオン性高分子の親水性高分子ゲル化剤とカチオンとが反応し、親水性高分子ゲル化剤がゲル化して外皮膜が形成され、図１に示すカプセルが製造される。
【００４４】
＜両親媒性物質除去工程＞
また、本発明においては、親水性高分子ゲル化剤２（または、Ｏ／Ｗエマルジョン）を両親媒性物質に分散させるため、カプセル１を使用する際に、カプセル１の表面に両親媒性物質が残存している場合であっても、両親媒性物質は水に溶解するため、ろ過・水洗を行うことにより、簡単に除去することができる。従って、化粧水等の水系の製品に使用可能なカプセル１を安価かつ簡単な方法で製造することが可能になる。
【００４５】
また、本発明においては、カラギーナン、アルギン酸ナトリウム、及びジェランガムと、カルシウムイオンとを反応させることにより、肌上で潰れにくいカプセル１を製造することができ、寒天と、カルシウムイオンとを反応させると、肌上で潰れやすいカプセル１を製造することができる。従って、カプセル１の潰れやすさを自由に設計することが可能になるため、肌上で潰れやすいカプセル、及び肌上で潰れにくいカプセルの双方を提供することが可能になる。
【００４６】
また、本発明においては、どのような乳化技術を使用した場合であっても、カプセル１内に内包油滴３を入れ込むことが可能になる。
【００４７】
以上に説明したように、本発明においては、上記従来技術とは異なり、特殊な装置を必要とせず、簡易な装置（プロペラ攪拌機）を使用して、親水性高分子ゲル化剤（または、Ｏ／Ｗエマルジョン）と両親媒性物質とを、単に混合して攪拌するだけでよいため、安価かつ簡易な方法によりカプセルを製造することが可能になる。
【実施例】
【００４８】
以下に、本発明を実施例に基づいて説明する。なお、本発明は、これらの実施例に限定されるものではなく、これらの実施例を本発明の趣旨に基づいて変形、変更することが可能であり、それらを発明の範囲から除外するものではない。【００４９】
（実施例１〜７及び比較例１〜３）
＜カプセルの製造方法＞
表１に示す組成（質量％）を有する実施例１〜７及び比較例１〜３のカプセルを、下記の製造方法により製造した。【００５０】
【表１】
2017090214.tif 000003
【００５１】
＜親水性高分子ゲル化剤水溶液の作製＞
１，３―ブチレングリコールにメチルパラベンを添加し、５０℃に加熱して溶解した後、グリセリンを添加し、撹拌して溶解した。次に、親水性高分子を添加し、湿潤させて、撹拌分散した。次に、親水性高分子の分散相をイオン交換水中に添加し、９０℃に加熱して撹拌溶解した後、５０℃まで冷却し、実施例１〜７の親水性高分子ゲル化剤水溶液を得た。【００５２】
なお、比較例１〜３については、親水性高分子として、カルボキシメチルセルロース、またはポリ−γ−グルタミン酸Ｎａを添加した。【００５３】
＜両親媒性物質の混合＞
次に、作製した親水性高分子ゲル化剤水溶液に、５０℃に加熱した両親媒性物質であるコハク酸ビスエトキシジグリコールを添加し、プロペラ攪拌機（アズワン（株）製、商品名：ＳＴＩＲＲＥＲ、Ｐ−１）を使用して、３００ｒｐｍの速度で攪拌して混合することにより、親水性高分子ゲル化剤水溶液と両親媒性物質の混合物を得た。【００５４】
なお、実施例２においては、コハク酸ビスエトキシジグリコールに親水性高分子ゲル化剤水溶液を添加し、上述のプロペラ攪拌機を使用して、攪拌して混合することにより、親水性高分子ゲル化剤水溶液と両親媒性物質の混合物を得た。【００５５】
＜カチオンの添加＞
次に、上記両親媒性物質混合工程において得られた親水性高分子ゲル化剤水溶液と両親媒性物質との混合物を４５℃まで冷却した後、この混合物に、塩化カルシウム二水和物が溶解したイオン交換水を添加することにより、カプセル分散物を製造した。【００５６】
＜両親媒性物質除去工程＞  
次に、分散媒として用いたコハク酸ビスエトキシジグリコールをろ過・水洗して除去することにより、カプセルを製造した。【００５７】
（実施例８〜１４及び比較例４）
＜カプセルの製造方法＞
表２に示す組成（質量％）を有する実施例８〜１４及び比較例４のカプセルを、下記の製造方法により製造した。【００５８】
【表２】
2017090214.tif 000004
【００５９】
＜親水性高分子ゲル化剤水溶液＞
１，３―ブチレングリコールにメチルパラベンを添加し、５０℃に加熱して溶解した後、グリセリン、及びＰＰＧ−９ジグリセリルを添加し、撹拌して溶解した。次に、親水性高分子とヒドロキシエチルセルロースを添加し、湿潤させて、撹拌分散した。次に、親水性高分子とヒドロキシエチルセルロースの分散相をイオン交換水中に添加し、９０℃に加熱して撹拌溶解した後、５０℃まで冷却し、ゴールドパール粉末を添加して、攪拌分散することにより実施例９〜１５、比較例４の親水性高分子ゲル化剤を含む水溶液を得た。【００６０】
＜両親媒性物質の混合＞
次に、実施例９〜１１，１３〜１４においては、５０℃に加熱した両親媒性物質（コハク酸ビスエトキシジグリコール、シクロヘキサン−１，４−ジカルボン酸ビスエトキシジグリコール、コハク酸ジエトキシエチル、１，２−ヘキサンジオール、ＰＥＧ／ＰＰＧ／ポリブチレングリコール−８／５／３グリセリン、ＰＰＧ−９ジグルセリル）に親水性高分子ゲル化剤水溶液を添加し、上述のプロペラ攪拌機を使用して、表２に示す速度で攪拌して混合することにより、親水性高分子ゲル化剤水溶液と両親媒性物質の混合物を得た。【００６１】
また、実施例８，１２については、作製した親水性高分子ゲル化剤水溶液に、５０℃に加熱した両親媒性物質（コハク酸ビスエトキシジグリコール、コハク酸ジエトキシエチル、１，２−ヘキサンジオール、またはＰＥＧ／ＰＰＧ／ポリブチレングリコール−８／５／３グリセリン）を添加し、上述のプロペラ攪拌機を使用して、表２に示す速度で攪拌して混合することにより、親水性高分子ゲル化剤水溶液と両親媒性物質の混合物を得た。【００６２】
＜カチオンの添加＞
次に、上記両親媒性物質混合工程において得られた親水性高分子ゲル化剤水溶液と両親媒性物質との混合物を４５℃まで冷却した後、この混合物に、塩化カルシウム二水和物が溶解したイオン交換水を添加することにより、カプセル分散物を製造した。【００６３】
＜両親媒性物質除去工程＞
次に、分散媒として用いたコハク酸ビスエトキシジグリコール、シクロヘキサン−１，４−ジカルボン酸ビスエトキシジグリコール、コハク酸ジエトキシエチル、１，２−ヘキサンジオール、ＰＥＧ／ＰＰＧ／ポリブチレングリコール−８／５／３グリセリン、ＰＰＧ−９ジグルセリルをろ過・水洗して除去することにより、カプセルを製造した。【００６４】
（実施例１５〜２０）
＜カプセルの製造方法＞
表３に示す組成（質量％）を有する実施例１５〜２０のカプセルを、下記の製造方法により製造した。【００６５】
【表３】
2017090214.tif 000005
【００６６】
＜親水性高分子ゲル化剤水溶液＞
１，３―ブチレングリコールにメチルパラベンを添加し、５０℃に加熱して溶解した後、グリセリンを添加し、撹拌して溶解した。次に、親水性高分子、ポリ−γ−グルタミン酸Ｎａ、及びヒドロキシエチルセルロースを添加し、湿潤させて、撹拌分散した。次に、親水性高分子、ポリ−γ−グルタミン酸Ｎａ、及びヒドロキシエチルセルロースの分散相をイオン交換水中に添加し、９０℃に加熱して撹拌溶解した後、５０℃まで冷却し、ホワイトパール粉末、及びゴールドパール粉末を添加して、攪拌分散することにより実施例１６〜２１の親水性高分子ゲル化剤を含む水溶液を得た。【００６７】
＜内包油相＞
実施例１９における内包油相は次の方法により作製した。まず、１，３−ブチレングリコールにＰＥＧ−６０水添ヒマシ油を添加し、５０℃に加熱し溶解した。次に、イオン交換水を添加して、撹拌溶解後、３０℃まで冷却して水相を得た。そして、この水相へトリエチルヘキサノイン、及びジメチルポリシロキサンを添加し、ホモミキサー（乳化機）を使用して処理を行い、乳化液相である内包油相を得た。【００６８】
また、実施例２０における内包油相は次の方法により作製した。まず、１，３−ブチレングリコールにＰＥＧ−６０水添ヒマシ油を添加し、５０℃に加熱し溶解した。次に、グリセリン、セスキイソステアリン酸ソルビタン、及びトリエチルヘキサノインを添加し、撹拌して溶解した。そして、この混合相を、イオン交換水中に撹拌しながら添加することにより、乳化液相である内包油相を得た。【００６９】
＜Ｏ／Ｗエマルジョン＞
次に、作製した内包油相を親水性高分子ゲル化剤水溶液に添加し、攪拌して混合することにより、Ｏ／Ｗエマルジョンを得た。【００７０】
＜両親媒性物質の混合＞
次に、実施例１５〜１８においては、作製した親水性高分子ゲル化剤水溶液に、５０℃に加熱した両親媒性物質であるコハク酸ビスエトキシジグリコールを添加し、上述のプロペラ攪拌機を使用して、４００ｒｐｍの速度で攪拌して混合することにより、親水性高分子ゲル化剤水溶液と両親媒性物質の混合物を得た。【００７１】
また、実施例１９〜２０においては、作製したＯ／Ｗエマルジョンに、５０℃に加熱した両親媒性物質であるコハク酸ビスエトキシジグリコールを添加し、上述のプロペラ攪拌機を使用して、４００ｒｐｍの速度で攪拌して混合することにより、Ｏ／Ｗエマルジョンと両親媒性物質の混合物を得た。【００７２】
＜カチオンの添加＞
次に、上記両親媒性物質混合工程において得られた親水性高分子ゲル化剤水溶液と両親媒性物質との混合物（実施例１９〜２０においては、Ｏ／Ｗエマルジョンと両親媒性物質との混合物）を４５℃まで冷却した後、この混合物に、塩化カルシウム二水和物、硫酸マグネシウム、塩化ベンザルコニウム、及びセトリモニウムクロリドの少なくとも１種が溶解したイオン交換水を添加することにより、カプセル分散物を製造した。【００７３】
＜両親媒性物質除去工程＞
次に、分散媒として用いたコハク酸ビスエトキシジグリコールをろ過・水洗して除去することにより、カプセルを製造した。【００７４】
（実施例２１〜２４）
＜カプセルの製造方法＞
表４に示す組成（質量％）を有する実施例２１〜２４のカプセルを、下記の製造方法により製造した。【００７５】
【表４】
2017090214.tif 000006
【００７６】
＜親水性高分子ゲル化剤水溶液＞
１，３―ブチレングリコールにメチルパラベンを添加し、５０℃に加熱して溶解した後、グリセリンを添加し、撹拌して溶解した。次に、親水性高分子とポリビニルアルコールを添加し、湿潤させて、撹拌分散した。次に、親水性高分子とポリビニルアルコールの分散相をイオン交換水中に添加し、９０℃に加熱して撹拌溶解した後、５０℃まで冷却し、ゴールドパール粉末を添加して、攪拌分散することにより実施例２１〜２４の親水性高分子ゲル化剤を含む水溶液を得た。【００７７】
＜両親媒性物質の混合＞
次に、作製した親水性高分子ゲル化剤水溶液に、５０℃に加熱した両親媒性物質（コハク酸ビスエトキシジグリコール、１，２−ヘキサンジオール）を添加し、上述のプロペラ攪拌機を使用して、５００ｒｐｍの速度で攪拌して混合することにより、親水性高分子ゲル化剤と両親媒性物質の混合物を得た。【００７８】
なお、実施例２２においては、繊維形状を有するカプセルを製造し易くするとの観点から、両親媒性物質にイオン交換水と食塩（塩析効果のある物質）を添加した。【００７９】
＜カチオンの添加＞  
次に、上記両親媒性物質混合工程において得られた親水性高分子ゲル化剤水溶液と両親媒性物質との混合物を４５℃まで冷却した後、この混合物に、塩化カルシウム二水和物が溶解したイオン交換水を添加することにより、カプセル分散物を製造した。【００８０】
＜両親媒性物質除去工程＞  
次に、分散媒として用いたコハク酸ビスエトキシジグリコール、１，２−ヘキサンジオール、及び食塩をろ過・水洗して除去することにより、カプセルを製造した。【００８１】
次に、各カプセルに対して、カプセルの形状、カプセルの径、カプセルの安定性、及び残存分散媒を以下に示す方法により評価した。以上の結果を表１〜表４に示す。【００８２】
＜カプセルの形状＞
目視により、実施例、及び比較例の各カプセルの形状を評価した。【００８３】
＜カプセルの径＞
物差しを使用して、目視により、実施例、及び比較例の各カプセルの径を測定した。【００８４】
＜カプセルの安定性＞
作製したカプセルを、５０℃の環境下でスクリュー管内に１ヶ月間、保存し、その後、カプセルの変形、破壊、凝集等の変化について、目視により確認した。
評価基準
カプセルの変形、破壊、凝集が全く認められないか僅かに認められる場合：○
カプセルの変形、破壊、凝集が少し認められるか明らかに認められる場合：×【００８５】
＜残存分散媒＞
液体クロマトグラフィー（島津製作所（株）製、商品名：Ｐｒｏｍｉｎｅｎｃｅ）を使用して、残存分散媒（即ち、カプセルの表面に残存する両親媒性物質）の有無について評価した。
評価基準
濃度が１００ｐｐｍ未満の場合：○
水に入れた時に油膜または油浮きが認められる、又は１００ｐｐｍ以上の場合：×【００８６】
表１〜表３に示すように、アニオン性の親水性高分子ゲル化剤（カラギーナン、寒天、アルギン酸ナトリウム、及びジェランガムのうち少なくとも１種）と両親媒性物質（コハク酸ビスエトキシジグリコール、シクロヘキサン−１，４−ジカルボン酸ビスエトキシジグリコール、コハク酸ジエトキシエチル、１，２−ヘキサンジオール、ＰＥＧ／ＰＰＧ／ポリブチレングリコール−８／５／３グリセリン、及びＰＰＧ−９ジグルセリルのうち少なくとも１種）とを混合し、この混合物にカチオン（カルシウムイオン、マグネシウムイオン、または第４級アンモニウムカチオン）を添加した実施例１〜２０においては、安定性に優れ、粒径が０．２ｍｍ以上の均一な粒径を有する球形状、立方体形状、楕円体形状のカプセルを提供することができることが判る。【００８７】
また、表４に示すように、アニオン性の親水性高分子ゲル化剤（カラギーナン、寒天、アルギン酸ナトリウム、及びジェランガムのうち少なくとも１種）と両親媒性物質（コハク酸ビスエトキシジグリコール、及び１，２−ヘキサンジオールのうち少なくとも１種）とを混合し、この混合物にカチオン（カルシウムイオン）を添加した実施例２１〜２４においては、安定性に優れ、繊維形状を有するカプセルを提供することができることが判る。【００８８】
一方、表１〜表２に示すように、カラギーナン、寒天、アルギン酸ナトリウム、またはジェランガムを使用しなかった比較例１においては、カプセル自体が固化し（即ち、親水性高分子が粒にならず、全部が固まった状態になり）、比較例２においては、カプセル自体を製造することができなかった。【００８９】
また、カチオンを添加しなかった比較例３においては、カプセルは製造できたものの、カプセルの安定性に乏しいことが判る。また、本発明の両親媒性物質を混合しなかった比較例４においては、明らかに油が残存しており、油系およびＷ／Ｏ系には配合できるものの、水系には配合できないことが判った。
【産業上の利用可能性】
【００９０】
以上説明したように、本発明は、化粧品、医薬品、食品等の分野において使用されるカプセルの製造方法に、特に、有用である。
【符号の説明】
【００９１】
１    カプセル
２    アニオン性の親水性高分子ゲル化剤
３    内包油脂
【図１】
2017090214.tif 000007
【国際調査報告】
2017090214.tif 000008
2017090214.tif 000009
2017090214.tif 000010
2017090214.tif 000011